(57)【要約】【目的】  容易に作製でき、また遊技玉と槌との当接位置の調整が容易な発射レールを提供する。【構成】  発射レール１において滑走部１３は、第１レール片１３ａと、これに面対称な形状に形成された第２レール片１３ｂとを重合させた構造をしている。両レール片１３ａ，１３ｂの上縁は、下方へ凹む曲線状に形成されており、間隔は遊技玉１１の直径よりも小さくされている。このため、滑走部１３に相当する従来のレール本体（断面Ｍ字型）を湾曲させる、という高度な加工が不要となり、滑走部１３を容易に作製できる。また、滑走部１３は、固定部１５に対してビス６５にて固定され、調整ビス６３にて上下方向を位置決めされている。従い、ビス６５を緩めて調整ビス６３を回動させることにより、固定部１５に対する滑走部１３の上下位置を容易に調整できる。【選択図】図１
2007090119.tif 000002
【特許請求の範囲】
【請求項１】
弾球式遊技機に用いられる遊技玉をその被射出位置に保持する保持部と、射出された前記遊技玉の走行路を有するレール本体と、少なくとも前記保持部及び前記レール本体を支持する支持部とを備える、弾球式遊技機用発射レールにおいて、
前記レール本体が、
前記遊技玉よりも小さな間隔を空けて互いに平行に立設された２枚の長尺板材であって、その長手方向の各一縁を略上方に向けられた前記遊技玉の走行路を備え、且つ該各一縁は、長手方向の中央が凹んだ曲線状に形成されている滑走部と、
該滑走部を前記支持部に固定する固定部と
を有することを特徴とする弾球式遊技機用発射レール。
【請求項２】
請求項１に記載の弾球式遊技機用発射レールにおいて、
前記滑走部が、
長尺の板状部材であって、その長手方向の１縁を基準縁とし、これに略平行な２本の折り曲げ線に沿って互いに逆方向に折り曲げられ、且つ前記基準縁の反対側の縁は、長手方向の中央が凹んだ曲線状に形成された第１レール片と、
該第１レール片と略面対称に形成された第２レール片と
を、各レール片の、前記基準縁を含む面同士を重合させて該面を互いに固定してなることを特徴とする弾球式遊技機用発射レール。
【請求項３】
請求項１又は請求項２に記載の弾球式遊技機用発射レールにおいて、
前記滑走部が、前記支持部に対する相対位置を調整可能にされていることを特徴とする弾球式遊技機用発射レール。
【請求項４】
請求項３に記載の弾球式遊技機用発射レールにおいて、
前記滑走部に、前記基準縁に沿って所定幅の溝穴が形成され、
該溝穴の幅に略等しい直径である略円形の鍔状部材が、軸に対して偏心されて頭部付近に設けられたビスを、前記固定部に螺合させ、前記鍔状部材を前記溝穴に嵌挿させることにより、前記鍔状部材の回転角度に応じて、前記滑走部を前記固定部に対して、前記溝穴の幅方向に移動可能にすることを通じ、前記滑走部の前記支持部に対する相対位置を調整可能にしたことを特徴とする弾球式遊技機用発射レール。
【請求項５】
請求項３または請求項４に記載の弾球式遊技機用発射レールにおいて、
前記固定部が、
前記滑走部を支持する支持面と、前記支持部に載置される被載置面とを略直角に配してなる、略Ｌ字型の断面を有する長尺部材であり、且つ前記被載置面には、当該固定部の長手方向に沿って所定幅の嵌穴が形成されたものであり、
該嵌穴の幅に略等しい直径である略円形のカムが、軸に対して偏心されて頭部付近に鍔状に設けられたビスを、前記支持部に螺合させ、前記カムを前記嵌穴に嵌挿させることにより、前記カムの回転角度に応じて、前記固定部を前記支持部に対して、前記嵌穴の幅方向に移動可能にすることを通じ、前記滑走部の前記支持部に対する相対位置を調整可能にしたことを特徴とする弾球式遊技機用発射レール。
【請求項６】
請求項１から請求項５にいずれか記載の弾球式遊技機用発射レールにおいて、
前記支持部が、
当該支持部において前記保持部の取付方向に立設された板状部材であって、その突端にはスリット状の切欠が形成され、前記保持部を板面に当接させて該保持部の移動方向を略上下方向に規制するガイド部
を備え、
前記保持部が、前記遊技玉を当接させる面を有する当接板と、前記ガイド部に当接される面を有する摺動板とを対向させて該両板を結合板にて連絡してなる略コの字型部材
であり、しかも前記摺動板を前記ガイド部に当接させ、且つ前記結合板を前記支持部に当接させて、前記保持部を前記略上下方向に移動させると、所定位置にて前記切欠に整合可能なスリット状の細溝が、前記摺動板に形成されていることを特徴とする弾球式遊技機用発射レール。
【発明の詳細な説明】
【技術分野】
【０００１】
本発明は、パチンコ機等の弾球式遊技機において、遊技玉の走行経路となる発射レールに関する。
【背景技術】
【０００２】
パチンコ機において遊技玉は、槌といわれる部材にて叩かれることにより発射される。この発射された遊技玉は、誘導レールによって案内されて遊戯域へ打ち出されるが、この誘導レールに適切な角度にて遊技玉が投入されるように遊技玉の弾道を定めるのが発射レールである。従来の発射レールの一例を図８に示す。図８（ａ）が正面図、図８（ｂ）がそのＥ−Ｅ断面図である。
【０００３】
図８に示した発射レール８１において、遊技玉８３が走行する部分であるレール本体８５は、長手方向に沿って傾斜されて支持部８７に取り付けられている。遊技玉８３は、この傾斜により低くされた方の末端に保持されて、槌に叩かれるのを待機する。またレール本体８５は、長手方向には下方に凹むように湾曲されており、打ち出されてレール本体８５上を走行し、レール本体８５の他端に達した遊技玉８３が、誘導レール（図示せず）に最適の角度にて発射されるようにされている。しかも、このレール本体８５は、図８（ｂ）に示すように断面が略Ｍ字型となるように板金を折り曲げて形成されている。遊技玉８３は、Ｍ字の２斜面８９ａ，８９ｂに接したまま、レール本体８５上を走行することにより、蛇行することなく、レール本体８５の長手方向に平行に走行するようにされている。
【発明の開示】
【発明が解決しようとする課題】
【０００４】
しかしながら、発射レール８１のレール本体８５は、上記したように、走行方向に垂直な断面が略Ｍ字型になるように折り曲げられ、しかも走行方向に沿っては湾曲されるという構造をしているため、製造が極めて困難である。従い、湾曲時にレール本体８５が破損することがあり、レール本体８５の歩留まりが悪くなって発射レール８１のコストをアップさせている。また、同じ理由により製造後にレール本体８５が歪んで、槌と遊技玉８３との当接位置が異なってしまったり或は遊技玉８３が不適切な角度にて誘導レールに投入されたりする。この結果、遊技域に放出された遊技玉８３の弾道が乱れて、遊技者の競技意欲を削ぐという不具合があった。
【０００５】
なお、槌と遊技玉８３との当接位置が不適切になった場合には、槌を特殊な専用工具にて曲げ、調整することも行なわれている。しかし、この方法にて当接位置を矯正するには高度な技能が必要であり、また、矯正した後も、遊技玉を射出するに連れて槌が矯正前の形状に戻り、再び当接位置が変化することもある。
【０００６】
また、遊技玉８３が不適切な角度にて誘導レールに投入されるようになった場合には、誘導レールの方を曲げて、レール本体８５との相対位置を調整していた。これは、上記したようにレール本体８５の構造が屈曲させにくい構造をしていることによる。しかし、この調整作業にも所謂職人技が要求され、例えば、パチンコホールの従業員が同じ作業を行なうのは困難である。
【０００７】
本発明は、こうした課題に鑑みてなされたものであり、発射レールのコストを下げ、また槌と遊技玉との当接位置の調整を容易にすることを目的とする。
【課題を解決するための手段】
【０００８】
かかる目的を達成するためになされた請求項１に記載の発明は、弾球式遊技機に用いられる遊技玉をその被射出位置に保持する保持部と、射出された前記遊技玉の走行路を有するレール本体と、少なくとも前記保持部及び前記レール本体を支持する支持部とを備える、弾球式遊技機用発射レールにおいて、
前記レール本体が、
前記遊技玉よりも小さな間隔を空けて互いに平行に立設された２枚の長尺板材であって、その長手方向の各一縁を略上方に向けられた前記遊技玉の走行路を備え、且つ該各一縁は、長手方向の中央が凹んだ曲線状に形成されている滑走部と、
該滑走部を前記支持部に固定する固定部と
を有することを特徴とする。
【０００９】
また、請求項２に記載の発明は、請求項１に記載の弾球式遊技機用発射レールにおいて、
前記滑走部が、
長尺の板状部材であって、その長手方向の１縁を基準縁とし、これに略平行な２本の折り曲げ線に沿って互いに逆方向に折り曲げられ、且つ前記基準縁の反対側の縁は、長手方向の中央が凹んだ曲線状に形成された第１レール片と、
該第１レール片と略面対称に形成された第２レール片と
を、各レール片の、前記基準縁を含む面同士を重合させて該面を互いに固定してなることを特徴とする。
【００１０】
更に、請求項３に記載の発明は、請求項１又は請求項２に記載の弾球式遊技機用発射レールにおいて、
前記滑走部が、前記支持部に対する相対位置を調整可能に固定されていることを特徴とする弾球式遊技機用発射レール。
【００１１】
請求項４に記載の発明は、請求項３に記載の弾球式遊技機用発射レールにおいて、
前記滑走部に、前記基準縁に沿って所定幅の溝穴が形成され、
該溝穴の幅に略等しい直径である略円形の鍔状部材が、軸に対して偏心されて頭部付近に設けられたビスを、前記固定部に螺合させ、前記鍔状部材を前記溝穴に嵌挿させることにより、前記鍔状部材の回転角度に応じて、前記滑走部を前記固定部に対して、前記溝穴の幅方向に移動可能にすることを通じ、前記滑走部の前記支持部に対する相対位置を調整可能にしたことを特徴とする。
【００１２】
請求項５に記載の発明は、請求項３または請求項４に記載の弾球式遊技機用発射レールにおいて、
前記固定部が、
前記滑走部を支持する支持面と、前記支持部に載置される被載置面とを略直角に配してなる、略Ｌ字型の断面を有する長尺部材であり、且つ前記被載置面には、当該固定部の長手方向に沿って所定幅の嵌穴が形成されたものであり、
該嵌穴の幅に略等しい直径である略円形のカムが、軸に対して偏心されて頭部付近に鍔状に設けられたビスを、前記支持部に螺合させ、前記カムを前記嵌穴に嵌挿させることにより、前記カムの回転角度に応じて、前記固定部を前記支持部に対して、前記嵌穴の幅方向に移動可能にすることを通じ、前記滑走部の前記支持部に対する相対位置を調整可能にしたことを特徴とする。
【００１３】
請求項６に記載の発明は請求項１から請求項５にいずれか記載の弾球式遊技機用発射レールにおいて、
前記支持部が、
当該支持部において前記保持部の取付方向に立設された板状部材であって、その突端にはスリット状の切欠が形成され、前記保持部を板面に当接させて該保持部の移動方向を略上下方向に規制するガイド部
を備え、
前記保持部が、
前記遊技玉を当接させる面を有する当接板と、前記ガイド部に当接される面を有する摺動板とを対向させて該両板を結合板にて連絡してなる略コの字型部材
であり、しかも前記摺動板を前記ガイド部に当接させ、且つ前記結合板を前記支持部に当接させて、前記保持部を前記略上下方向に移動させると、所定位置にて前記切欠に整合可能なスリット状の細溝が、前記摺動板に形成されていることを特徴とする。
【発明を実施するための最良の形態】
【００１４】
請求項１に記載の弾球式遊技機用発射レールは、レール本体が、滑走部と、滑走部を固定する固定部とを有している。そして滑走部は、互いに平行に立設された２枚の長尺板材を有している。これら２枚の板材の間隔は、遊技玉の直径よりも狭くされている。従い、遊技玉は、２枚の板材の各上縁に接して走行される。
【００１５】
従来のレール本体は、図８（ｂ）に示したように断面Ｍ字型に板材を屈曲させ、更に、図８（ａ）に示したように長手方向の中央が凹んだ形状に、その全体が湾曲されていた。これに対し、当該発射レールにおいては、滑走部そのものが湾曲されるのではなく、走行箇所となる２つの上縁が、長手方向の中央が凹んだ曲線状に形成されている。
【００１６】
従い、請求項１に記載の発明によれば、従前のように板状部材をＭ字型に曲げて更に湾曲させるという、困難な加工を行なう必要がないので、レール本体、ひいては発射レールのコストを下げることができる。また、レール本体が歪むこともないため、発射角度が不適切になったり、槌との当接位置が変化したりすることも防止できる。
【００１７】
請求項２に記載の発明は、滑走部が、次のような２枚の板状部材を重合させるという、簡素な構成にて実現されている。すなわち、長尺であって、その長手方向に平行な折り曲げ線に沿って２ヶ所を折り曲げられた第１レール片と、この第１レール片に面対称な形に形成された第２レール片と、の２枚の板状部材である。各レール辺は、２ヶ所を折り曲げられることにより、長手方向に垂直に３つの面に分けられる。この３つの面の内、端にある１面同士を重合させ固定したのが滑走部である。すると、この固定に用いられなかった各中央の面が、互いに対して離反するように屈曲され、残りの１面が互いに所定間隔をおいて伸びた形をなす。つまり、この各残りの１面が２枚の長尺板材となり、これらの各上縁が遊技玉が走行される箇所となる。
【００１８】
よって、請求項２に記載の発明によれば、滑走部を２体のレール片を重合し固定するという簡素な構成となっているため作製が極めて容易である。すなわち、滑走部の２枚の長尺板材を形成するためにその間隔を確保しつつ長尺の材料を切削したり、滑走部全体を鋳造したりする必要がなく、非常に作製が容易である。
【００１９】
また、長手方向に沿った折り曲げ線を持つレール片を２枚、重合した構成となっているため、堅牢である。従い、従来の発射レール８１（図８参照）においては、そのＭ字断面の内側を補強するために中子９１が用いられていたが、本発射レールにおいては、中子９１が不要となる。
【００２０】
請求項３に記載の発明においては、滑走部が、支持部に対する相対位置を、調整可能にされている。このため、遊技玉が不適切な角度にて誘導レールに投入されるようになった場合には、従来のように、誘導レールを曲げてレール本体との相対位置を調整する必要がなく、滑走部の位置調整を行なうことにより、遊技玉８３が不適切な角度にて誘導レールに投入されるようにできる。
【００２１】
また、請求項４に記載の発明においては、滑走部には基準縁に沿って、すなわち長手方向に平行に、溝穴が形成され、一方の固定部には、鍔状部材が側面に周設されたビスが螺合されている。鍔状部材はビスの軸に対して偏心して設けられており、鍔状部材の直径は溝穴の幅と等しくされている。このビス及び滑走部の溝穴は、固定部と滑走部との位置決めを行なうためのものであり、滑走部を固定部に固定する際に、鍔状部材を溝穴に嵌挿させる（つまり、固定はこのビスを用いて行なうのではなく別の構成にて行なう）。従い、鍔状部材が溝穴に嵌挿された状態にてビスを回転させると、ビスの軸に関して溝穴が移動されることになり、ひいては固定部に対して滑走部が長手方向に垂直に移動される。
【００２２】
従い、請求項４に記載の発明によれば、滑走部の固定部に対する位置、或は発射角度を、ビスを回すねじ回しのみで調整できる。このため調整の作業性が極めてよく、例えばパチンコホールの従業員が調整することも可能である。
請求項５に記載の発明においては、固定部が、略Ｌ字型の断面を有する長尺部材として構成されている。すなわち、固定部は互いに直角な２面からなり、この２面の一方が滑走部を支持する支持面であり、他方が支持部に載置される被載置面である。被載置面には長手方向に沿って嵌穴が形成されている。
【００２３】
一方の支持部には、略円形のカムが鍔状に設けられたビスが螺合されている。カムはビスの軸に対して偏心して設けられており、カムの直径は嵌穴の幅と等しくされている。このビス及び嵌穴は、固定部と支持部との位置決めを行なうためのものであり、固定部を支持部に固定する際に、カムを嵌穴に嵌挿させる（つまり、固定はこのビスを用いて行なうのではなく別の構成にて行なう）。従い、カムが嵌穴に嵌挿された状態にてビスを回転させると、ビスの軸に関して嵌穴が移動されることになり、ひいては支持部に対して固定部が嵌穴の幅方向に移動される。
【００２４】
従い、請求項５に記載の発明によれば、固定部の支持部に対する位置を、ビスを回すねじ回しのみで調整できる。このため調整の作業性が極めてよく、例えばパチンコホールの従業員が調整することも可能である。
また、請求項６に記載の発明においては、保持部の摺動板がガイド部に当接することにより、保持部の移動方向が規制されている。しかも摺動板には細溝が、ガイド部には切欠が形成されており、保持部を移動させると、所定位置にて、細溝と切欠とを整合可能にされている。なお、保持部において、遊技玉を当接させる当接板は、摺動板と対向する位置に配設されており、すなわち、摺動板がガイド部に沿って移動されると、当接板も同様に移動され、遊技玉の保持位置が変化するようにされている。
【００２５】
従い、請求項６に記載の発明によれば、細溝と切欠とを整合させた状態にて、ここに例えば−字のねじ回しの先端を差し込んで回動させると、保持部とガイド部の相対位置を微調整することができる。つまり、遊技玉の保持位置を容易に変更することができる。
【実施例】
【００２６】
以下に本発明の実施例を図面と共に説明する。
まず、図１は本発明の一実施例である発射レール１の外観図であり、図１（ａ）が正面図、図１（ｂ）がそのＡ−Ａ断面図である。
【００２７】
発射レール１は、遊技玉１１が走行される滑走部１３と、滑走部１３を保持する固定部１５と、遊技玉１１を滑走部１３の末端にて保持する保持部１７と、保持部１７及び固定部１５を支持すると共に、図示しないパチンコ機の遊技板に固定される支持部１９とを主に構成されている。つまり、滑走部１３は固定部１５を介して支持部１９に固定されていることになる。そして図示しない射出機構にて叩かれた遊技玉１１は、滑走部１３を走行し、滑走部１３の先端から発射される。
【００２８】
次に、滑走部１３について図２を用いて説明する。図２（ａ）が滑走部１３の正面図、図２（ｂ）がその左側面図である。滑走部１３は、２枚のレール片１３ａ，１３ｂを重ね合わせ、「・」印にて示された箇所をスポット溶接することにより固定されている。レール片１３ａは、長尺のステンレス材を、図中の下の縁２１を基準縁として、これに平行な２本の折り曲げ線にて互いに逆方向に折り曲げることにより形成され、基準縁２１の反対側の縁２３は下方に凹むような曲線形状にされている。一方、レール片１３ｂは、レール片１３ａと面対称の形状をしており、レール片１３ａと同様にして作製される。
【００２９】
そして、２ヶ所を折り曲げられることにより夫々３つの面に分割された各レール片の、基準縁２１側の面（以下、基準面という）２５同士を重合させて互いに固定することにより、滑走部１３となる。
各レール片の基準面２５以外の２面は、互いに離反するように、遊技玉１１の直径よりも小さな所定幅を持って平行に上方に伸び、図２（ｂ）に示すように、略コの字型の断面を呈する。この上端２３，２３が走行路となる。なお、基準面２５の長手方向の両端付近には、略四角形の溝穴２７ａ，２７ｂが形成されており、また、各溝穴２７ａ，２７ｂの内側と、基準面２５の中央部の計３ヶ所には縦長の長穴２９ａ，２９ｂ，２９ｃ（何れも貫通穴）が設けられている。
【００３０】
次に固定部１５について図３を用いて説明する。図３（ａ）は固定部１５の正面図、図３（ｂ）はその左側面図、図３（ｃ）はその平面図である。すなわち固定部１５は、略Ｌ字型断面を持つ長尺部材であって、滑走部１３の基準面２５に重合される支持面３１には、溝穴２７ａ，２７ｂ，長穴２９ａ〜２９ｃに対応する位置に夫々タップ穴３３ａ，３３ｂ，３５ａ，３５ｂ，３５ｃ（何れも貫通穴）が設けられている。一方、支持面３１に垂直な被載置面３６には、その両端付近に略四角形の嵌穴３７ａ，３７ｂが形成され、また、各嵌穴３７ａ，３７ｂの内側と、基準面２５の中央寄り図中のやや右よりの計３ヶ所に縦長の長穴３９ａ，３９ｂ，３９ｃ（何れも貫通穴）が設けられている。なお、嵌穴３７ａ，３７ｂの縦幅Ｃは、溝穴２７ａ，２７ｂの縦幅Ｂ（図２参照）と略等しくされている。
【００３１】
次に、支持部１９について図４を用いて説明する。図４（ａ）は支持部１９の正面図、図４（ｂ）はその左側面図、図４（ｃ）は平面図である。
支持部１９は、板金を本図に示した形状に切断し、また、その板面の３ヶ所に略コの字型の切込を入れて図４（ａ）の手前方向に引き起こし、固定部１５を載置・固定する箇所である突片４１ａ，４１ｂ，４１ｃが形成されている。つまり、図４（ａ）において長方形状に示されている窓４３ａ，４３ｂ，４３ｃは抜き穴となっている。そして突片４１ａ〜４１ｃには、固定部１５の嵌穴３７ａ，３７ｂ，長穴３９ａ〜３９ｃに対応する位置に夫々タップ穴４４ａ，４４ｂ，４５ａ，４５ｂ，４５ｃ（何れも貫通）が設けられている。
【００３２】
また、図４（ａ）の右上の部分には、保持部１７を係止するビスが螺合されるタップ穴４６（貫通）が設けられており、このタップ穴４６の近傍の縁は、この図の手前方向に引き起こされて、ガイド部４７が形成されている。そしてガイド部４７の端面にはスリット状の切欠４９が形成されている。なお、突片４１ｃの下方には、遊技玉１１を保持位置に供給する玉送りレバー（図示せず）を枢着するためのピン５１が設けられているが、このピン５１は、遊技玉１１を発射する発射レール１にとっては付加的な構成に過ぎないため説明を省略する。
【００３３】
次に保持部１７の構成について図５を用いて説明する。図５（ａ）は保持部１７の正面図、図５（ｂ）は平面図、図５（ｃ）は右側面図である。
保持部１７はガイド部４７に当接される摺動板５３と、遊技玉１１に当接される当接板５５とを結合板５７にて連絡してなる略コの字型の断面を持つ部材で、図５（ｂ）に示すように摺動板５３よりも当接板５５の方が幅広にされている。結合板５７には、当該保持部１７を支持部１９に固定するための長穴５９が設けられ、摺動板５３には、スリット状の細溝６１が形成されている。
【００３４】
以上の各部を組み立てて、発射レールを構成する手順を、図１を用いて説明する。まず、鍔状部材（以下、単に鍔部という）が頭部付近の側面に周設された調整ビス６３，６３を、支持部１９のタップ穴４４ａ，４４ｂに締め込む。なお、この鍔部の直径は、固定部１５の嵌穴３７ａ，３７ｂの幅Ｃ（図３参照）に等しくされている。そして嵌穴３７ａ，３７ｂに調整ビス６３，６３の鍔部を嵌め込みつつ突片４１ａ〜４１ｃ上に固定部１５を載せ、タップ穴４５ａ〜４５ｃに３本のビス６５を螺合させて固定部１５を支持部１９に固定する。このビス６５は、調整ビス６３とは異なり、鍔部が形成されていない通常のビスである。
【００３５】
次に、調整ビス６３，６３を、固定部１５のタップ穴３３ａ，３３ｂに締め込む。そして溝穴２７ａ，２７ｂに調整ビス６３，６３の鍔部を嵌め込みつつ固定部１５の面３１と滑走部１３の基準面２５とを重合させ、タップ穴３５ａ〜３５ｃに３本のビス６５を螺合させて滑走部１３を固定部１５に固定する。
【００３６】
なお、タップ穴３３ａ，３３ｂに締め込まれる調整ビス６３は、本発明の、固定部１５に対して滑走部１３を相対移動させるためのビスに相当し、タップ穴４４ａ，４４ｂに締め込まれる調整ビス６３は、本発明の、支持部１９に対して固定部１５を相対移動させるためのビスに相当する。つまり、発射レール１においては、両方の調整ビスに同じものを使用しており、従って、鍔部は、タップ穴３３ａ，３３ｂに締め込まれる調整ビス６３の鍔部は本発明の鍔状部材に相当し、タップ穴４４ａ，４４ｂに締め込まれる調整ビス６３の鍔部は本発明のカムに相当する。
【００３７】
そして保持部１７を、支持部１９のガイド部４７の位置にビス６５にて固定すると、発射レール１としての体裁が整い、図１のように滑走部１３が左上がりに傾斜されて設置された状態となり、この傾斜により低くされた方の端部に遊技玉１１を保持可能となる。この発射レール１を完成させるには、遊技玉１１の保持位置が適切になるように保持部１７の取り付け位置を調整し、更に適切な角度にて滑走部１３から遊技玉１１が発射されるように、滑走部１３の角度を調整する必要がある。
【００３８】
そこで、まず保持部１７の取り付け位置を調整する方法について図６を用いて説明する。図６（ａ）は保持部１７を仮に取り付けた状態の正面図、図６（ｂ）はその平面図、図６（ｃ）は取り付け位置を変える様子を示す説明図である。
保持部１７は、ビス６５を座金６６、長穴５９を介してタップ穴４６（図４参照）に螺合させることにより固定されている。この固定の際、摺動板５３はガイド部４７に、結合板５７は支持部１９の板面に当接させた状態にて行なわれる。こうすることにより、保持部１７は図中の上下方向にのみ移動可能に固定される。なお、前後するが、保持部１７を適切な位置に固定すると、摺動板５３に形成された細溝６１とガイド部４７の切欠４９とが略一致するように細溝６１が形成されている。
【００３９】
保持部１７の移動量は、遊技玉１１の保持位置に大きく影響に与えるため、微量ずつ慎重に行なう必要があるが、これは以下のようにすることにより可能である。すなわち、保持部１７を移動させる際には、まず切欠４９と細溝６１とが連通されてなるスリット部に、細い平板状のもの（例えば−字のねじ回しの先端６７）を差し込んで保持部１７をガイド部４７に対して移動できないようにし、次にビス６５を緩め、ねじ回しの先端６７をゆっくりと（例えば）反時計回りに回動させる。すると、図６（ｃ）のように、先端６７が細溝６１を下方に押し下げる。移動量が足りないときには、先端６７よりも薄い平板状のものを用いて更に大きく回転させればよく、また逆方向に保持部１７を動かしたいときには、先端６７を時計回りに操作すれば良い。こうして所望の位置まで保持部１７を移動させてビス６９を締めて再固定する。これにより、保持部１７の支持部１９に対する取付位置の調整が完了する。
【００４０】
一方、滑走部１３の固定部１５に対する固定位置を調整するには、調整ビス６３を用いて行なうが、この方法について図７を用いて説明する。図７（ａ）は、図１（ａ）において溝穴２７ａの周辺を拡大した図、図７（ｂ）はそのＤ−Ｄ断面図である。前述したように、調整ビス６３には鍔部７１が設けられており、その直径が、溝穴２７ａの幅Ｂとほぼ等しくされている。そして、調整ビス６３において鍔部７１は偏心して設けられている。
【００４１】
滑走部１３の先端位置を上下に調整するには、まずビス６５を適宜緩めて滑走部１３を上下動可能にした後、調整ビス６３を回転させる。すると、鍔部７１が溝穴２７ａ内にて回転されて、鍔部７１の外周面が溝穴２７ａの内周を上方若しくは下方に押し、例えば図７（ａ）に実線にて示した溝穴２７ａを２点鎖線にて示した溝穴２７ａ’まで移動させる。溝穴２７ａが上下移動するということはつまり、固定部１５に対して滑走部１３が２点鎖線にて示した１３’のように移動することである。こうして滑走部１３の先端部を所望の高さにした後、ビス６５を締め付け、滑走部１３を固定部１５に対して固定する。
【００４２】
このように、滑走部１３の先端は固定部１５に対し、ねじ回しにて容易に上下動させることができる。なお、滑走部１３の後部位置を上下に移動させる場合には、タップ穴３３ｂに締め込まれた調整ビス６３を回転させることにより行なうことができる。
【００４３】
また、滑走部１３を図１（ａ）の前後方向に移動させたい場合は、タップ穴４４ａ，４４ｂに締め込まれた調整ビス６３を用いて同様にして調整する。すなわち、予め、ビス６５（タップ穴４５ａ〜４５ｃに締め込まれているもの）を適宜緩めて固定部１５を前後方向に可動にした後、調整ビス６３（タップ穴４４ａ，４４ｂに締め込まれているもの）を回転させる。すると、鍔部７１が嵌穴３７ａ，３７ｂ内にて回転されて、鍔部７１の外周面が嵌穴３７ａ，３７ｂの内周を前方若しくは後方に押すことにより、固定部１５を支持部１９に対して移動させる。こうして固定部１５を所望の位置まで移動させた後、ビス６５（タップ穴４５ａ〜４５ｃに締め込まれているもの）を締め付け、固定部１５を支持部１９に対して固定する。こうして調整が完了すると、発射レール１は完成となる。
【００４４】
この発射レール１の保持位置において槌に叩かれた遊技玉１１は、滑走部１３の縁２３の上に沿って走行される。これは前述したように、滑走部１３の幅が遊技玉１１の直径よりも短くされているためで、遊技玉１１は２本の縁２３に支えられて走行し、滑走部１３の先端から発射される。従来の発射レールの走行路はレール本体全体を湾曲させていたため、困難な加工工程が必要であったが、発射レール１によれば、例えば２枚のレール片１３ａ，１３ｂを重合させた上で、縁２３を図２等に示したような曲線状に切削すれば良いので、加工が容易である。
【００４５】
また、滑走部１３は、長手方向に沿った折り曲げ線を持つレール片１３ａ，１３ｂを重合した構造となっているため、堅牢である。従来の発射レール８１（図８参照）においては、そのＭ字断面の内側を補強するために中子９１が用いられていたが、滑走部１３においては、中子９１が不要となる。
【００４６】
更に、発射レール１は、遊技玉１１の保持位置の調整を、保持部１７の取付位置を変更することによって行なうことができ、また滑走部１３を支持部１９に対して上下前後に移動させることも可能であり、更にどちらもねじ回し等を用いることにより極めて容易に行なえる。従い、従来のように槌を曲げる等の特殊な技能や、専用の工具を必要としない。
【００４７】
以上、本発明の一実施例である発射レール１について説明してきたが、本発明は、上記の構成に限定されるものではなく、様々な態様にて実施しうるものである。
例えば、レール片１３ａ，１３ｂは、ステンレスを材料として形成したが、他の金属や、セラミックを材料にして形成しても良い。
【図面の簡単な説明】
【００４８】
【図１】本発明の一実施例である発射レール１の説明図である。
【図２】発射レール１の滑走部１３の説明図である。
【図３】発射レール１の固定部１５の説明図である。
【図４】発射レール１の支持部１９の説明図である。
【図５】発射レール１の保持部１７の説明図である。
【図６】保持部１７が支持部１９に対して移動される様子を示す説明図である。
【図７】滑走部１３が固定部１５に対して移動される様子を示す説明図である。
【図８】従来の発射レール８１の説明図である。
【符号の説明】
【００４９】
１…発射レール          １１…遊技玉          １３…滑走部
１５…固定部              １７…保持部          １９…支持部          
２７ａ，２７ｂ…溝穴      ３７ａ，３７ｂ…嵌穴      
２９ａ〜２９ｃ，３９ａ〜３９ｃ，５９…長穴
３３ａ，３３ｂ，３５ａ〜３５ｃ，
４４ａ，４４ｂ，４５ａ〜４５ｃ，４６…タップ穴
４１ａ〜４１ｃ…突片      ４７…ガイド部        ４９…切欠
５３…摺動板              ５５…当接板          ５７…結合板
６１…細溝                ６３…調整ビス
【図１】
2007090119.tif 000003
【図２】
2007090119.tif 000004
【図３】
2007090119.tif 000005
【図４】
2007090119.tif 000006
【図５】
2007090119.tif 000007
【図６】
2007090119.tif 000008
【図７】
2007090119.tif 000009
【図８】
2007090119.tif 000010
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
弾球式遊技機に用いられる遊技玉をその被射出位置に保持する保持部と、射出された前記遊技玉の走行路を有するレール本体と、少なくとも前記レール本体を支持する支持部とを備える、弾球式遊技機用発射レールにおいて、
前記レール本体が、
長尺の板状部材から成り、前記板状部材の長手方向に沿って前記遊技玉の走行路を備える滑走部と、
該滑走部を前記支持部に固定する固定部と、
を有し、
前記滑走部に、前記板状部材における前記長手方向の一縁である基準縁に沿って、所定幅の溝穴が形成され、
該溝穴の幅に略等しい直径である略円形の鍔状部材が、軸に対して偏心されて頭部付近に設けられたビスを、前記固定部に螺合させ、前記鍔状部材を前記溝穴に嵌挿させることにより、前記鍔状部材の回転角度に応じて、前記滑走部を前記固定部に対して、前記溝穴の幅方向に移動可能にすることを通じ、前記滑走部の前記支持部に対する相対位置を調整可能にしたことを特徴とする弾球式遊技機用発射レール。
【請求項２】
弾球式遊技機に用いられる遊技玉をその被射出位置に保持する保持部と、射出された前記遊技玉の走行路を有するレール本体と、少なくとも前記レール本体を支持する支持部とを備える、弾球式遊技機用発射レールにおいて、
前記レール本体が、
前記遊技玉の走行路を備える滑走部と、
該滑走部を前記支持部に固定する固定部と、
を有し、
前記固定部が、前記滑走部を支持する支持面と、前記支持部に載置される被載置面とを略直角に配してなる、略Ｌ字型の断面を有する長尺部材であり、且つ前記被載置面には、当該固定部の長手方向に沿って所定幅の嵌穴が形成されたものであり、
該嵌穴の幅に略等しい直径である略円形のカムが、軸に対して偏心されて頭部付近に鍔状に設けられたビスを、前記支持部に螺合させ、前記カムを前記嵌穴に嵌挿させることにより、前記カムの回転角度に応じて、前記固定部を前記支持部に対して、前記嵌穴の幅方向に移動可能にすることを通じ、前記滑走部の前記支持部に対する相対位置を調整可能にしたことを特徴とする弾球式遊技機用発射レール。
【請求項３】
弾球式遊技機に用いられる遊技玉をその被射出位置に保持する保持部と、射出された前記遊技玉の走行路を有するレール本体と、少なくとも前記保持部及び前記レール本体を支持する支持部とを備える、弾球式遊技機用発射レールにおいて、
前記レール本体が、
前記遊技玉の走行路を備える滑走部と、
該滑走部を前記支持部に固定する固定部と、
を有し、
前記支持部が、当該支持部において前記保持部の取付方向に立設された板状部材であって、その突端にはスリット状の切欠が形成され、前記保持部を板面に当接させて該保持部の移動方向を略上下方向に規制するガイド部
を備え、
前記保持部が、前記遊技玉を当接させる面を有する当接板と、前記ガイド部に当接される面を有する摺動板とを対向させて該両板を結合板にて連絡してなる略コの字型部材
であり、しかも前記摺動板を前記ガイド部に当接させ、且つ前記結合板を前記支持部に当接させて、前記保持部を前記略上下方向に移動させると、所定位置にて前記切欠に整合可能なスリット状の細溝が、前記摺動板に形成されていることを特徴とする弾球式遊技機用発射レール。
【手続補正２】
【補正対象書類名】明細書
【補正対象項目名】全文
【補正方法】変更
【補正の内容】
【発明の詳細な説明】
【技術分野】
【０００１】
本発明は、パチンコ機等の弾球式遊技機において、遊技玉の走行経路となる発射レールに関する。
【背景技術】
【０００２】
パチンコ機において遊技玉は、槌といわれる部材にて叩かれることにより発射される。この発射された遊技玉は、誘導レールによって案内されて遊戯域へ打ち出されるが、この誘導レールに適切な角度にて遊技玉が投入されるように遊技玉の弾道を定めるのが発射レールである。従来の発射レールの一例を図８に示す。図８（ａ）が正面図、図８（ｂ）がそのＥ−Ｅ断面図である。
【０００３】
図８に示した発射レール８１において、遊技玉８３が走行する部分であるレール本体８５は、長手方向に沿って傾斜されて支持部８７に取り付けられている。遊技玉８３は、この傾斜により低くされた方の末端に保持されて、槌に叩かれるのを待機する。またレール本体８５は、長手方向には下方に凹むように湾曲されており、打ち出されてレール本体８５上を走行し、レール本体８５の他端に達した遊技玉８３が、誘導レール（図示せず）に最適の角度にて発射されるようにされている。しかも、このレール本体８５は、図８（ｂ）に示すように断面が略Ｍ字型となるように板金を折り曲げて形成されている。遊技玉８３は、Ｍ字の２斜面８９ａ，８９ｂに接したまま、レール本体８５上を走行することにより、蛇行することなく、レール本体８５の長手方向に平行に走行するようにされている。
【発明の開示】
【発明が解決しようとする課題】
【０００４】
しかしながら、発射レール８１のレール本体８５は、上記したように、走行方向に垂直な断面が略Ｍ字型になるように折り曲げられ、しかも走行方向に沿っては湾曲されるという構造をしているため、製造後にレール本体８５が歪んで、槌と遊技玉８３との当接位置が異なってしまったり或は遊技玉８３が不適切な角度にて誘導レールに投入されたりする。この結果、遊技域に放出された遊技玉８３の弾道が乱れて、遊技者の競技意欲を削ぐという不具合があった。
【０００５】
槌と遊技玉８３との当接位置が不適切になった場合には、槌を特殊な専用工具にて曲げ、調整することも行なわれている。しかし、この方法にて当接位置を矯正するには高度な技能が必要であり、また、矯正した後も、遊技玉を射出するに連れて槌が矯正前の形状に戻り、再び当接位置が変化することもある。
【０００６】
また、遊技玉８３が不適切な角度にて誘導レールに投入されるようになった場合には、誘導レールの方を曲げて、レール本体８５との相対位置を調整していた。これは、上記したようにレール本体８５の構造が屈曲させにくい構造をしていることによる。しかし、この調整作業にも所謂職人技が要求され、例えば、パチンコホールの従業員が同じ作業を行なうのは困難である。
【０００７】
本発明は、こうした課題に鑑みてなされたものであり、槌と遊技玉との当接位置の調整を容易にすることを目的とする。
【課題を解決するための手段】
【０００８】
かかる目的を達成するためになされた請求項１に記載の発明は、弾球式遊技機に用いられる遊技玉をその被射出位置に保持する保持部と、射出された前記遊技玉の走行路を有するレール本体と、少なくとも前記レール本体を支持する支持部とを備える、弾球式遊技機用発射レールにおいて、
前記レール本体が、
長尺の板状部材から成り、前記板状部材の長手方向に沿って前記遊技玉の走行路を備える滑走部と、
該滑走部を前記支持部に固定する固定部と、
を有し、
前記滑走部に、前記板状部材における前記長手方向の一縁である基準縁に沿って、所定幅の溝穴が形成され、
該溝穴の幅に略等しい直径である略円形の鍔状部材が、軸に対して偏心されて頭部付近に設けられたビスを、前記固定部に螺合させ、前記鍔状部材を前記溝穴に嵌挿させることにより、前記鍔状部材の回転角度に応じて、前記滑走部を前記固定部に対して、前記溝穴の幅方向に移動可能にすることを通じ、前記滑走部の前記支持部に対する相対位置を調整可能にしたことを特徴とする。
【０００９】
また、請求項２に記載の発明は、弾球式遊技機に用いられる遊技玉をその被射出位置に保持する保持部と、射出された前記遊技玉の走行路を有するレール本体と、少なくとも前記レール本体を支持する支持部とを備える、弾球式遊技機用発射レールにおいて、
前記レール本体が、
前記遊技玉の走行路を備える滑走部と、
該滑走部を前記支持部に固定する固定部と、
を有し、
前記固定部が、前記滑走部を支持する支持面と、前記支持部に載置される被載置面とを略直角に配してなる、略Ｌ字型の断面を有する長尺部材であり、且つ前記被載置面には、当該固定部の長手方向に沿って所定幅の嵌穴が形成されたものであり、
該嵌穴の幅に略等しい直径である略円形のカムが、軸に対して偏心されて頭部付近に鍔状に設けられたビスを、前記支持部に螺合させ、前記カムを前記嵌穴に嵌挿させることにより、前記カムの回転角度に応じて、前記固定部を前記支持部に対して、前記嵌穴の幅方向に移動可能にすることを通じ、前記滑走部の前記支持部に対する相対位置を調整可能にしたことを特徴とする。
【００１０】
更に、請求項３に記載の発明は、弾球式遊技機に用いられる遊技玉をその被射出位置に保持する保持部と、射出された前記遊技玉の走行路を有するレール本体と、少なくとも前記保持部及び前記レール本体を支持する支持部とを備える、弾球式遊技機用発射レールにおいて、
前記レール本体が、
前記遊技玉の走行路を備える滑走部と、
該滑走部を前記支持部に固定する固定部と、
を有し、
前記支持部が、当該支持部において前記保持部の取付方向に立設された板状部材であって、その突端にはスリット状の切欠が形成され、前記保持部を板面に当接させて該保持部の移動方向を略上下方向に規制するガイド部
を備え、
前記保持部が、前記遊技玉を当接させる面を有する当接板と、前記ガイド部に当接される面を有する摺動板とを対向させて該両板を結合板にて連絡してなる略コの字型部材
であり、しかも前記摺動板を前記ガイド部に当接させ、且つ前記結合板を前記支持部に当接させて、前記保持部を前記略上下方向に移動させると、所定位置にて前記切欠に整合可能なスリット状の細溝が、前記摺動板に形成されていることを特徴とする。
【００１１】
【００１２】
【００１３】
【発明を実施するための最良の形態】
【００１４】
請求項１に記載の弾球式遊技機用発射レールは、レール本体が、滑走部と、滑走部を固定する固定部とを有している。
【００１５】
【００１６】
【００１７】
【００１８】
【００１９】
【００２０】
【００２１】
また、請求項１に記載の発明においては、滑走部には基準縁に沿って、すなわち長手方向に平行に、溝穴が形成され、一方の固定部には、鍔状部材が側面に周設されたビスが螺合されている。鍔状部材はビスの軸に対して偏心して設けられており、鍔状部材の直径は溝穴の幅と等しくされている。このビス及び滑走部の溝穴は、固定部と滑走部との位置決めを行なうためのものであり、滑走部を固定部に固定する際に、鍔状部材を溝穴に嵌挿させる（つまり、固定はこのビスを用いて行なうのではなく別の構成にて行なう）。従い、鍔状部材が溝穴に嵌挿された状態にてビスを回転させると、ビスの軸に関して溝穴が移動されることになり、ひいては固定部に対して滑走部が長手方向に垂直に移動される。
【００２２】
従い、請求項１に記載の発明によれば、滑走部の固定部に対する位置、或は発射角度を、ビスを回すねじ回しのみで調整できる。このため調整の作業性が極めてよく、例えばパチンコホールの従業員が調整することも可能である。
請求項２に記載の発明においては、固定部が、略Ｌ字型の断面を有する長尺部材として構成されている。すなわち、固定部は互いに直角な２面からなり、この２面の一方が滑走部を支持する支持面であり、他方が支持部に載置される被載置面である。被載置面には長手方向に沿って嵌穴が形成されている。
【００２３】
一方の支持部には、略円形のカムが鍔状に設けられたビスが螺合されている。カムはビスの軸に対して偏心して設けられており、カムの直径は嵌穴の幅と等しくされている。このビス及び嵌穴は、固定部と支持部との位置決めを行なうためのものであり、固定部を支持部に固定する際に、カムを嵌穴に嵌挿させる（つまり、固定はこのビスを用いて行なうのではなく別の構成にて行なう）。従い、カムが嵌穴に嵌挿された状態にてビスを回転させると、ビスの軸に関して嵌穴が移動されることになり、ひいては支持部に対して固定部が嵌穴の幅方向に移動される。
【００２４】
従い、請求項２に記載の発明によれば、固定部の支持部に対する位置を、ビスを回すねじ回しのみで調整できる。このため調整の作業性が極めてよく、例えばパチンコホールの従業員が調整することも可能である。
また、請求項３に記載の発明においては、保持部の摺動板がガイド部に当接することにより、保持部の移動方向が規制されている。しかも摺動板には細溝が、ガイド部には切欠が形成されており、保持部を移動させると、所定位置にて、細溝と切欠とを整合可能にされている。なお、保持部において、遊技玉を当接させる当接板は、摺動板と対向する位置に配設されており、すなわち、摺動板がガイド部に沿って移動されると、当接板も同様に移動され、遊技玉の保持位置が変化するようにされている。
【００２５】
従い、請求項３に記載の発明によれば、細溝と切欠とを整合させた状態にて、ここに例えば−字のねじ回しの先端を差し込んで回動させると、保持部とガイド部の相対位置を微調整することができる。つまり、遊技玉の保持位置を容易に変更することができる。
【実施例】
【００２６】
以下に本発明の実施例を図面と共に説明する。
まず、図１は本発明の一実施例である発射レール１の外観図であり、図１（ａ）が正面図、図１（ｂ）がそのＡ−Ａ断面図である。
【００２７】
発射レール１は、遊技玉１１が走行される滑走部１３と、滑走部１３を保持する固定部１５と、遊技玉１１を滑走部１３の末端にて保持する保持部１７と、保持部１７及び固定部１５を支持すると共に、図示しないパチンコ機の遊技板に固定される支持部１９とを主に構成されている。つまり、滑走部１３は固定部１５を介して支持部１９に固定されていることになる。そして図示しない射出機構にて叩かれた遊技玉１１は、滑走部１３を走行し、滑走部１３の先端から発射される。
【００２８】
次に、滑走部１３について図２を用いて説明する。図２（ａ）が滑走部１３の正面図、図２（ｂ）がその左側面図である。滑走部１３は、２枚のレール片１３ａ，１３ｂを重ね合わせ、「・」印にて示された箇所をスポット溶接することにより固定されている。レール片１３ａは、長尺のステンレス材を、図中の下の縁２１を基準縁として、これに平行な２本の折り曲げ線にて互いに逆方向に折り曲げることにより形成され、基準縁２１の反対側の縁２３は下方に凹むような曲線形状にされている。一方、レール片１３ｂは、レール片１３ａと面対称の形状をしており、レール片１３ａと同様にして作製される。
【００２９】
そして、２ヶ所を折り曲げられることにより夫々３つの面に分割された各レール片の、基準縁２１側の面（以下、基準面という）２５同士を重合させて互いに固定することにより、滑走部１３となる。
各レール片の基準面２５以外の２面は、互いに離反するように、遊技玉１１の直径よりも小さな所定幅を持って平行に上方に伸び、図２（ｂ）に示すように、略コの字型の断面を呈する。この上端２３，２３が走行路となる。なお、基準面２５の長手方向の両端付近には、略四角形の溝穴２７ａ，２７ｂが形成されており、また、各溝穴２７ａ，２７ｂの内側と、基準面２５の中央部の計３ヶ所には縦長の長穴２９ａ，２９ｂ，２９ｃ（何れも貫通穴）が設けられている。
【００３０】
次に固定部１５について図３を用いて説明する。図３（ａ）は固定部１５の正面図、図３（ｂ）はその左側面図、図３（ｃ）はその平面図である。すなわち固定部１５は、略Ｌ字型断面を持つ長尺部材であって、滑走部１３の基準面２５に重合される支持面３１には、溝穴２７ａ，２７ｂ，長穴２９ａ〜２９ｃに対応する位置に夫々タップ穴３３ａ，３３ｂ，３５ａ，３５ｂ，３５ｃ（何れも貫通穴）が設けられている。一方、支持面３１に垂直な被載置面３６には、その両端付近に略四角形の嵌穴３７ａ，３７ｂが形成され、また、各嵌穴３７ａ，３７ｂの内側と、基準面２５の中央寄り図中のやや右よりの計３ヶ所に縦長の長穴３９ａ，３９ｂ，３９ｃ（何れも貫通穴）が設けられている。なお、嵌穴３７ａ，３７ｂの縦幅Ｃは、溝穴２７ａ，２７ｂの縦幅Ｂ（図２参照）と略等しくされている。
【００３１】
次に、支持部１９について図４を用いて説明する。図４（ａ）は支持部１９の正面図、図４（ｂ）はその左側面図、図４（ｃ）は平面図である。
支持部１９は、板金を本図に示した形状に切断し、また、その板面の３ヶ所に略コの字型の切込を入れて図４（ａ）の手前方向に引き起こし、固定部１５を載置・固定する箇所である突片４１ａ，４１ｂ，４１ｃが形成されている。つまり、図４（ａ）において長方形状に示されている窓４３ａ，４３ｂ，４３ｃは抜き穴となっている。そして突片４１ａ〜４１ｃには、固定部１５の嵌穴３７ａ，３７ｂ，長穴３９ａ〜３９ｃに対応する位置に夫々タップ穴４４ａ，４４ｂ，４５ａ，４５ｂ，４５ｃ（何れも貫通）が設けられている。
【００３２】
また、図４（ａ）の右上の部分には、保持部１７を係止するビスが螺合されるタップ穴４６（貫通）が設けられており、このタップ穴４６の近傍の縁は、この図の手前方向に引き起こされて、ガイド部４７が形成されている。そしてガイド部４７の端面にはスリット状の切欠４９が形成されている。なお、突片４１ｃの下方には、遊技玉１１を保持位置に供給する玉送りレバー（図示せず）を枢着するためのピン５１が設けられているが、このピン５１は、遊技玉１１を発射する発射レール１にとっては付加的な構成に過ぎないため説明を省略する。
【００３３】
次に保持部１７の構成について図５を用いて説明する。図５（ａ）は保持部１７の正面図、図５（ｂ）は平面図、図５（ｃ）は右側面図である。
保持部１７はガイド部４７に当接される摺動板５３と、遊技玉１１に当接される当接板５５とを結合板５７にて連絡してなる略コの字型の断面を持つ部材で、図５（ｂ）に示すように摺動板５３よりも当接板５５の方が幅広にされている。結合板５７には、当該保持部１７を支持部１９に固定するための長穴５９が設けられ、摺動板５３には、スリット状の細溝６１が形成されている。
【００３４】
以上の各部を組み立てて、発射レールを構成する手順を、図１を用いて説明する。まず、鍔状部材（以下、単に鍔部という）が頭部付近の側面に周設された調整ビス６３，６３を、支持部１９のタップ穴４４ａ，４４ｂに締め込む。なお、この鍔部の直径は、固定部１５の嵌穴３７ａ，３７ｂの幅Ｃ（図３参照）に等しくされている。そして嵌穴３７ａ，３７ｂに調整ビス６３，６３の鍔部を嵌め込みつつ突片４１ａ〜４１ｃ上に固定部１５を載せ、タップ穴４５ａ〜４５ｃに３本のビス６５を螺合させて固定部１５を支持部１９に固定する。このビス６５は、調整ビス６３とは異なり、鍔部が形成されていない通常のビスである。
【００３５】
次に、調整ビス６３，６３を、固定部１５のタップ穴３３ａ，３３ｂに締め込む。そして溝穴２７ａ，２７ｂに調整ビス６３，６３の鍔部を嵌め込みつつ固定部１５の面３１と滑走部１３の基準面２５とを重合させ、タップ穴３５ａ〜３５ｃに３本のビス６５を螺合させて滑走部１３を固定部１５に固定する。
【００３６】
なお、タップ穴３３ａ，３３ｂに締め込まれる調整ビス６３は、本発明の、固定部１５に対して滑走部１３を相対移動させるためのビスに相当し、タップ穴４４ａ，４４ｂに締め込まれる調整ビス６３は、本発明の、支持部１９に対して固定部１５を相対移動させるためのビスに相当する。つまり、発射レール１においては、両方の調整ビスに同じものを使用しており、従って、鍔部は、タップ穴３３ａ，３３ｂに締め込まれる調整ビス６３の鍔部は本発明の鍔状部材に相当し、タップ穴４４ａ，４４ｂに締め込まれる調整ビス６３の鍔部は本発明のカムに相当する。
【００３７】
そして保持部１７を、支持部１９のガイド部４７の位置にビス６５にて固定すると、発射レール１としての体裁が整い、図１のように滑走部１３が左上がりに傾斜されて設置された状態となり、この傾斜により低くされた方の端部に遊技玉１１を保持可能となる。この発射レール１を完成させるには、遊技玉１１の保持位置が適切になるように保持部１７の取り付け位置を調整し、更に適切な角度にて滑走部１３から遊技玉１１が発射されるように、滑走部１３の角度を調整する必要がある。
【００３８】
そこで、まず保持部１７の取り付け位置を調整する方法について図６を用いて説明する。図６（ａ）は保持部１７を仮に取り付けた状態の正面図、図６（ｂ）はその平面図、図６（ｃ）は取り付け位置を変える様子を示す説明図である。
保持部１７は、ビス６５を座金６６、長穴５９を介してタップ穴４６（図４参照）に螺合させることにより固定されている。この固定の際、摺動板５３はガイド部４７に、結合板５７は支持部１９の板面に当接させた状態にて行なわれる。こうすることにより、保持部１７は図中の上下方向にのみ移動可能に固定される。なお、前後するが、保持部１７を適切な位置に固定すると、摺動板５３に形成された細溝６１とガイド部４７の切欠４９とが略一致するように細溝６１が形成されている。
【００３９】
保持部１７の移動量は、遊技玉１１の保持位置に大きく影響に与えるため、微量ずつ慎重に行なう必要があるが、これは以下のようにすることにより可能である。すなわち、保持部１７を移動させる際には、まず切欠４９と細溝６１とが連通されてなるスリット部に、細い平板状のもの（例えば−字のねじ回しの先端６７）を差し込んで保持部１７をガイド部４７に対して移動できないようにし、次にビス６５を緩め、ねじ回しの先端６７をゆっくりと（例えば）反時計回りに回動させる。すると、図６（ｃ）のように、先端６７が細溝６１を下方に押し下げる。移動量が足りないときには、先端６７よりも薄い平板状のものを用いて更に大きく回転させればよく、また逆方向に保持部１７を動かしたいときには、先端６７を時計回りに操作すれば良い。こうして所望の位置まで保持部１７を移動させてビス６９を締めて再固定する。これにより、保持部１７の支持部１９に対する取付位置の調整が完了する。
【００４０】
一方、滑走部１３の固定部１５に対する固定位置を調整するには、調整ビス６３を用いて行なうが、この方法について図７を用いて説明する。図７（ａ）は、図１（ａ）において溝穴２７ａの周辺を拡大した図、図７（ｂ）はそのＤ−Ｄ断面図である。前述したように、調整ビス６３には鍔部７１が設けられており、その直径が、溝穴２７ａの幅Ｂとほぼ等しくされている。そして、調整ビス６３において鍔部７１は偏心して設けられている。
【００４１】
滑走部１３の先端位置を上下に調整するには、まずビス６５を適宜緩めて滑走部１３を上下動可能にした後、調整ビス６３を回転させる。すると、鍔部７１が溝穴２７ａ内にて回転されて、鍔部７１の外周面が溝穴２７ａの内周を上方若しくは下方に押し、例えば図７（ａ）に実線にて示した溝穴２７ａを２点鎖線にて示した溝穴２７ａ’まで移動させる。溝穴２７ａが上下移動するということはつまり、固定部１５に対して滑走部１３が２点鎖線にて示した１３’のように移動することである。こうして滑走部１３の先端部を所望の高さにした後、ビス６５を締め付け、滑走部１３を固定部１５に対して固定する。
【００４２】
このように、滑走部１３の先端は固定部１５に対し、ねじ回しにて容易に上下動させることができる。なお、滑走部１３の後部位置を上下に移動させる場合には、タップ穴３３ｂに締め込まれた調整ビス６３を回転させることにより行なうことができる。
【００４３】
また、滑走部１３を図１（ａ）の前後方向に移動させたい場合は、タップ穴４４ａ，４４ｂに締め込まれた調整ビス６３を用いて同様にして調整する。すなわち、予め、ビス６５（タップ穴４５ａ〜４５ｃに締め込まれているもの）を適宜緩めて固定部１５を前後方向に可動にした後、調整ビス６３（タップ穴４４ａ，４４ｂに締め込まれているもの）を回転させる。すると、鍔部７１が嵌穴３７ａ，３７ｂ内にて回転されて、鍔部７１の外周面が嵌穴３７ａ，３７ｂの内周を前方若しくは後方に押すことにより、固定部１５を支持部１９に対して移動させる。こうして固定部１５を所望の位置まで移動させた後、ビス６５（タップ穴４５ａ〜４５ｃに締め込まれているもの）を締め付け、固定部１５を支持部１９に対して固定する。こうして調整が完了すると、発射レール１は完成となる。
【００４４】
この発射レール１の保持位置において槌に叩かれた遊技玉１１は、滑走部１３の縁２３の上に沿って走行される。これは前述したように、滑走部１３の幅が遊技玉１１の直径よりも短くされているためで、遊技玉１１は２本の縁２３に支えられて走行し、滑走部１３の先端から発射される。従来の発射レールの走行路はレール本体全体を湾曲させていたため、困難な加工工程が必要であったが、発射レール１によれば、例えば２枚のレール片１３ａ，１３ｂを重合させた上で、縁２３を図２等に示したような曲線状に切削すれば良いので、加工が容易である。
【００４５】
また、滑走部１３は、長手方向に沿った折り曲げ線を持つレール片１３ａ，１３ｂを重合した構造となっているため、堅牢である。従来の発射レール８１（図８参照）においては、そのＭ字断面の内側を補強するために中子９１が用いられていたが、滑走部１３においては、中子９１が不要となる。
【００４６】
更に、発射レール１は、遊技玉１１の保持位置の調整を、保持部１７の取付位置を変更することによって行なうことができ、また滑走部１３を支持部１９に対して上下前後に移動させることも可能であり、更にどちらもねじ回し等を用いることにより極めて容易に行なえる。従い、従来のように槌を曲げる等の特殊な技能や、専用の工具を必要としない。
【００４７】
以上、本発明の一実施例である発射レール１について説明してきたが、本発明は、上記の構成に限定されるものではなく、様々な態様にて実施しうるものである。
例えば、レール片１３ａ，１３ｂは、ステンレスを材料として形成したが、他の金属や、セラミックを材料にして形成しても良い。
【図面の簡単な説明】
【００４８】
【図１】本発明の一実施例である発射レール１の説明図である。
【図２】発射レール１の滑走部１３の説明図である。
【図３】発射レール１の固定部１５の説明図である。
【図４】発射レール１の支持部１９の説明図である。
【図５】発射レール１の保持部１７の説明図である。
【図６】保持部１７が支持部１９に対して移動される様子を示す説明図である。
【図７】滑走部１３が固定部１５に対して移動される様子を示す説明図である。
【図８】従来の発射レール８１の説明図である。
【符号の説明】
【００４９】
１…発射レール          １１…遊技玉          １３…滑走部
１５…固定部 １７…保持部    １９…支持部
２７ａ，２７ｂ…溝穴 ３７ａ，３７ｂ…嵌穴
２９ａ〜２９ｃ，３９ａ〜３９ｃ，５９…長穴
３３ａ，３３ｂ，３５ａ〜３５ｃ，
４４ａ，４４ｂ，４５ａ〜４５ｃ，４６…タップ穴
４１ａ〜４１ｃ…突片   ４７…ガイド部 ４９…切欠
５３…摺動板    ５５…当接板 ５７…結合板
６１…細溝    ６３…調整ビス